(57)【特許請求の範囲】
【請求項１】
行電極及び列電極を有する強誘電性液晶を含む液晶材により構成された強誘電性液晶パネルと、前記強誘電性液晶パネルを表示駆動する行電極ドライバー及び列電極ドライバーと、表示データを受信する表示データ受信部と、前記表示データ受信部で受信した表示データに対して、同時に複数の行電極に選択パルスを供給することで、及び単数の行電極に選択パルスを供給することで、表示データに応じて表示データ源の解像度を表示解像度へ解像度変換を行うとともにマトリクス駆動に適合するように処理を加えるデータ処理部と、表示解像度と表示速度を切替える表示モード切替部と、前記行電極ドライバー及び前記列電極ドライバーを制御するドライバー制御部とを備えてなり、前記ドライバー制御部は、前記表示モード切替部に応じて表示解像度と表示速度を可変制御することを特徴とする強誘電液晶表示装置。
【発明の詳細な説明】
【０００１】
【発明の属する技術分野】
本発明は、表示解像度と表示速度を可変することが可能な強誘電性液晶を含む液晶材により構成された強誘電性液晶表示装置に関するものである。
【０００２】
【従来の技術】
近年、パーソナルコンピュータやプレゼンテーション用アプリケーションを安価に入手することができるようになり、これらと大画面表示可能な液晶プロジェクタとを使ったプレゼンテーションが浸透しつつある。このような中、強誘電性液晶を含む液晶材により構成された強誘電性液晶パネルは、大画面時でもフリッカがなく目が疲れないといった利点を生かしてビジネス会議用や教育用の電子黒板用途への応用が期待されている。一方、画素の反応が確定してからでないと次のラインを選択できない特性や交流化のため、画面切替えの速度が遅いといった欠点を有していた。
【０００３】
さて、図６は従来の強誘電性液晶表示装置のブロック図である。図６に示すように、従来の強誘電性液晶表示装置は、行電極２−１〜２−ｎ及び列電極３−１〜３−ｍを有する強誘電性液晶を含む液晶材により構成された強誘電性液晶パネル１と、行電極２−１〜２−ｎ及び列電極３−１〜３−ｍにそれぞれ接続され強誘電性液晶パネル１を表示駆動する行電極ドライバー２及び列電極ドライバー３と、表示データ源としてのパーソナルコンピュータからの表示データを受信する表示データ受信部４と、受信した表示データに対してマトリクス駆動に適合するように処理を加えるデータ処理部５と、データ処理部５に基づき行電極ドライバー２及び列電極ドライバー３を制御するドライバー制御部６とから構成される。
【０００４】
図７（Ａ）は従来の表示データの例示図、図７（Ｂ）は従来の強誘電性液晶表示装置の動作を示すタイミングチャートである。まず、図７（Ｂ）に示す期間Ａにおいて、ドライバー制御部６は、行電極ドライバー２が行電極２−１〜２−３に選択消去パルスを供給し、列電極ドライバー３が列電極３−１〜３−５に消去パルスを供給するように制御する。これにより、強誘電性液晶パネル１の一部分（行３×列５相当）の全画素に同じ電圧が供給され、全画素とも表示ＯＦＦ（表示クリア）になる。
【０００５】
次に、期間Ｂにおいて、ドライバー制御部６は、行電極ドライバー２が行電極２−１に選択パルスを供給し、その他の行電極２−２、２−３には、非選択パルスを供給するように制御する。同時に、データ処理部５による表示データに応じてドライバー制御部６は、列電極ドライバー３が、１行目における表示ＯＮに相当する列電極（この例では列電極３−３）には、ＯＮパルスを、表示ＯＦＦに相当する列電極（この例では列電極３−１〜３−５）には、ＯＦＦパルスを供給するように制御する。これにより、強誘電性液晶パネル１の一部分（行３×列５相当）の１行目は、表示データに応じた表示になる。
【０００６】
続いて、期間Ｃ、Ｄにおいても、順次２行目、３行目に対して上記した処理を繰り返すことにより、表示データに応じた表示を行うことができる。全ての行に対する選択が終了すると、強誘電性液晶特性によるメモリ効果により、表示内容は保持されるため、文書等の静止画表示データであれば、一度選択が終了すると表示は完了し、表示内容が変わらない限り、上記した選択の線順次走査をする必要がない。
【０００７】
【発明が解決しようとする課題】
しかしながら、上記従来の構成では、画面の表示切替え速度は、強誘電性液晶パネル１を構成する行電極数に比例するため、表示装置を電子黒板用途等に利用するため大画面化、高解像度化した場合、表示速度が遅くなるという問題点があった。
【０００８】
そこで本発明は、用途に応じて高速な画面表示や高解像度な表示を切り替えることができる強誘電性液晶表示装置を提供することを目的とする。
【０００９】
【課題を解決するための手段】
本発明の強誘電性液晶表示装置は、行電極及び列電極を有する強誘電性液晶を含む液晶材により構成された強誘電性液晶パネルと、前記強誘電性液晶パネルを表示駆動する行電極ドライバー及び列電極ドライバーと、表示データを受信する表示データ受信部と、前記表示データ受信部で受信した表示データに対して、同時に複数の行電極に選択パルスを供給することで、及び単数の行電極に選択パルスを供給することで、表示データに応じて表示データ源の解像度を表示解像度へ解像度変換を行うとともにマトリクス駆動に適合するように処理を加えるデータ処理部と、表示解像度と表示速度を切替える表示モード切替部と、前記行電極ドライバー及び前記列電極ドライバーを制御するドライバー制御部とを備えてなり、前記ドライバー制御部は、前記表示モード切替部に応じて表示解像度と表示速度を可変制御することができる強誘電液晶表示装置を実現できる。
【００１０】
【発明の実施の形態】
請求項１記載の強液晶性液晶表示装置は、行電極及び列電極を有する強誘電性液晶を含む液晶材により構成された強誘電性液晶パネルと、前記強誘電性液晶パネルを表示駆動する行電極ドライバー及び列電極ドライバーと、表示データを受信する表示データ受信部と、前記表示データ受信部で受信した表示データに対して、同時に複数の行電極に選択パルスを供給することで、及び単数の行電極に選択パルスを供給することで、表示データに応じて表示データ源の解像度を表示解像度へ解像度変換を行うとともにマトリクス駆動に適合するように処理を加えるデータ処理部と、表示解像度と表示速度を切替える表示モード切替部と、前記行電極ドライバー及び前記列電極ドライバーを制御するドライバー制御部とを備えてなり、前記ドライバー制御部は、前記表示モード切替部に応じて表示解像度と表示速度を可変制御することができる。
【００１１】
以下、本発明の実施の形態について、図面を参照しながら説明する。図１は本発明の一実施の形態における強誘電性液晶表示装置のブロック図である。図１において、１は強誘電性液晶パネルであり、２−１〜２−ｎはその行電極、３−１〜３−ｍはその列電極である。また、２は行電極ドライバーであり、３は列電極ドライバーである。さらに、４は表示データ源としてのパーソナルコンピュータからのデータを受信する表示データ受信部、５は受信した表示データに対してマトリクス駆動に適合するように処理を加えるデータ処理部、６は行電極ドライバー２、列電極ドライバー３を制御するドライバー制御部、７は表示解像度と表示速度を切替える表示モード切替部である。
【００１２】
図２は本発明の一実施の形態における表示データ源と強誘電性液晶表示装置の表示画素数の説明図である。この図は、表示データ源としてのパーソナルコンピュータの表示解像度と、それを表示する強誘電性液晶表示装置の表示解像度との対応を示している。ここでは、パーソナルコンピュータの表示解像度をＸＧＡ（Ｅｘｔｅｎｔｅｄ  Ｇｒａｐｈｉｃ  Ａｒｒａｙ）１０２４画素×７６８画素、強誘電性液晶表示装置の表示解像度を３０７２画素×２３０４画素としている。また図３は、本発明の一実施の形態における表示データ源と強誘電性液晶表示装置の表示の関係図である。ここでは、パーソナルコンピュータの表示の一部と、これに対応した部分を表示した強誘電性液晶表示装置の表示の一部を示している。ここで、高速表示モード（Ａ）では、強誘電性液晶表示装置の表示解像度が、表示データ源としてのパーソナルコンピュータの表示解像度より高いにもかかわらず、単純に行、列とも拡大した表示となっている。一方、高品質表示モード（Ｂ）では、表示解像度を考慮した補正を行っており、高速表示モード（Ａ）に比べて高解像度の高品質の表示となることを示している。
【００１３】
さらに図４は、本発明の一実施の形態における強誘電性液晶表示装置の高速表示動作を示すタイミングチャート、図５は、本発明の一実施の形態における強誘電性液晶表示装置の高品質表示動作を示すタイミングチャートである。
【００１４】
以下、本実施の形態の強誘電性液晶表示装置の動作を図４及び図５を主に参照しながら説明する。まず、表示モード切替部７が高速表示モードに設定された場合の表示方法について図４を参照しながら説明する。図４に示す期間Ａにおいて、ドライバー制御部６は、行電極ドライバー２が行電極２−１〜２−９に選択消去パルスを供給し、列電極ドライバー３が列電極３−１〜３−１５に消去パルスを供給するように制御する。これにより、強誘電性液晶パネル１の一部分（行９×列１５相当）の全画素に同じ電圧が供給され、全画素とも表示ＯＦＦ（表示がクリア）になる。
【００１５】
次に、期間Ｂにおいて、ドライバー制御部６は、表示モード切替部７が高速表示モードであるため、行電極ドライバー２が行電極２−１〜２−３に選択パルスを供給し、その他の行電極２−４〜２−９には、非選択パルスを供給するように制御する。同時に、データ処理部５による表示データに応じてドライバー制御部６は、列電極ドライバー３が、１〜３行目における表示ＯＮに相当する列電極（この例では列電極３−７〜３−９）には、ＯＮパルスを、表示ＯＦＦに相当する列電極（この例では列電極３−７〜３−９以外）には、ＯＦＦパルスを供給するように制御する。これにより、強誘電性液晶パネル１の一部分（行９×列１５）の１〜３行目は、表示データに応じた表示になる。
【００１６】
続いて、期間Ｃにおいて、ドライバー制御部６は、行電極ドライバー２が行電極２−４〜２−６に選択パルスを供給し、その他の行電極２−１〜２−３，２−７〜２−９には、非選択パルスを供給するように制御する。同時に、データ処理部５による表示データに応じてドライバー制御部６は、列電極ドライバー３が、２行目における表示ＯＮに相当する列電極（この例では列電極３−４〜３−６、３−１０〜３−１２）には、ＯＮパルスを、表示ＯＦＦに相当する列電極（この例では列電極３−１〜３−３、３−７〜３−９、３−１３〜３−１５）には、ＯＦＦパルスを供給するように制御する。これにより、強誘電性液晶パネル１の一部分（行９×列１５相当）の４〜６行目は、表示データに応じた表示になる。このように３本単位で選択パルスを供給する処理を行っていく。さらに期間Ｄにおいても、上記３本単位での処理を繰り返すことにより７〜９行目も表示データに応じた表示を行うことができる。
【００１７】
全ての行に対する選択が終了すると、強誘電性液晶特性によるメモリ効果により、表示内容は保持されるため、文書等の静止画表示データであれば、一度選択が終了すると表示な完了し、表示内容が変わらない限り、上記したような選択の線順次走査をする必要がない。従って、強誘電性液晶パネル１の一部分（行９×列１５相当）の表示完了は、期間Ｄの終了後となる。
【００１８】
一方、表示モード切替部７が高品質表示モードに設定された場合の表示方法について図５を参照しながら説明する。図５に示す期間Ａにおいて、上記した高速表示モードと同様なので省略する。次に、期間Ｂにおいて、ドライバー制御部６は、表示モード切替部７が高品質表示モードであるため、行電極ドライバー２が行電極２−１に選択パルスを供給し、その他の行電極２−２〜２−９には、非選択パルスを供給するように制御する。同時に、データ処理部５による表示データに応じてドライバー制御部６は、列電極ドライバー３が、１行目における表示ＯＮに相当する列電極（この例では列電極３−８）には、ＯＮパルスを、表示ＯＦＦに相当する列電極（この例では列電極３−８以外）には、ＯＦＦパルスを供給するように制御する。これにより、強誘電性液晶パネル１の一部分（行９×列１５相当）の１行目は、表示データに応じた表示になる。なお、行電極のタイミングチャートは省略してある。
【００１９】
続いて、期間Ｃにおいて、ドライバー制御部６は、行電極ドライバー２が行電極２−２に選択パルスを供給し、その他の行電極２−２以外には、非選択パルスを供給するように制御する。同時に、データ処理部５による表示データに応じてドライバー制御部６は、列電極ドライバー３が、２行目における表示ＯＮに相当する列電極（この例では列電極３−７〜３−９）には、ＯＮパルスを、表示ＯＦＦに相当する列電極（この例では列電極３−７〜３−９以外）には、ＯＦＦパルスを供給するように制御する。これにより、強誘電性液晶パネル１の一部分（行９×列１５相当）の２行目は、表示データに応じた表示になる。このように１本単位で選択パルスを与える処理を行う。さらに、期間Ｄ、Ｅ、Ｆ、…においても、上記制御を繰り返すことによる表示データに応じた表示を行うことができる。
【００２０】
全ての行に対する選択が終了すると、強誘電性液晶特性によるメモリ効果により、表示内容は保持されるため、文書等の静止画表示データであれば、一度選択が終了すると表示は完了し、内容が変わらない限り上記したような選択の線順次走査をする必要がない。従って、強誘電性液晶パネル１の一部分（行９×列１５相当）を表示が完了するのは、期間Ｊの終了後となる。以上のように、表示モード切替部７の設定に応じて、一度に選択パルスを供給する行電極の本数が異なるので、表示速度が一度に選択する行の本数に応じて可変となる。
【００２１】
ここでは、表示データ源としてパーソナルコンピュータをＸＧＡ対応、強誘電性液晶表示装置の表示部を行、列ともその３倍の表示画素数である３０７２画素×２３０４画素としたため、行電極に対して３本単位で選択パルスを与えたが、これは表示データ源と強誘電性液晶表示装置の比で決まるものであって３本単位に限ったことでないことは言うまでもない。また、表示モード切替部の設定は、パーソナルコンピュータからでも良いし、強誘電性液晶表示装置からの設定でも差し支えない。
【００２２】
【発明の効果】
本発明によれば、行電極及び列電極を有する強誘電性液晶を含む液晶材により構成された強誘電性液晶パネルと、前記強誘電性液晶パネルを表示駆動する行電極ドライバー及び列電極ドライバーと、表示データを受信する表示データ受信部と、前記表示データ受信部で受信した表示データに対して、同時に複数の行電極に選択パルスを供給することで、及び単数の行電極に選択パルスを供給することで、表示データに応じて表示データ源の解像度を表示解像度へ解像度変換を行うとともにマトリクス駆動に適合するように処理を加えるデータ処理部と、表示解像度と表示速度を切替える表示モード切替部と、前記行電極ドライバー及び前記列電極ドライバーを制御するドライバー制御部とを備えてなり、前記ドライバー制御部は、前記表示モード切替部に応じて表示解像度と表示速度を可変制御することができる。
【図面の簡単な説明】
【図１】本発明の一実施の形態における強誘電性液晶表示装置のブロック図
【図２】本発明の一実施の形態における表示データ源と強誘電性液晶表示装置の表示画素数の説明図
【図３】本発明の一実施の形態における表示データ源と強誘電性液晶表示装置の表示の関係図
【図４】本発明の一実施の形態における強誘電性液晶表示装置の高速表示動作を示すタイミングチャート
【図５】本発明の一実施の形態における強誘電性液晶表示装置の高品質表示動作を示すタイミングチャート
【図６】従来の強誘電性液晶表示装置のブロック図
【図７】（Ａ）従来の表示データの例示図（Ｂ）従来の強誘電性液晶表示装置の動作を示すタイミングチャート
【符号の説明】
１  強誘電性液晶パネル
２  行電極ドライバー
３  列電極ドライバー
２−１〜２−ｎ  行電極
３−１〜３−ｍ  列電極
４  表示データ受信部
５  データ処理部
６  ドライバー制御部
７  表示モード切替部
【図１】
0003632365.tif 000002
【図２】
0003632365.tif 000003
【図３】
0003632365.tif 000004
【図４】
0003632365.tif 000005
【図５】
0003632365.tif 000006
【図６】
0003632365.tif 000007
【図７】
0003632365.tif 000008